(57)【要約】【課題】ユーザの操作性を高めるとともに、十分なユーザの安全性も確保することが可能なストラップ装置を提供する。【解決手段】環状のストラップをユーザの身体の一部に掛けることで、該ストラップを介して対象物をユーザに携帯させるストラップ装置であって、対象物が取り付けられ、ケース形状であるストラップ装置本体と、ストラップ装置本体内で回転可能な状態で支持されて、ストラップの巻取りを行う巻取り部と、を備える。そして、ユーザによってストラップをストラップ装置本体から取り出す取り出し操作が行われたとき、ユーザによる該取り出し操作によってストラップ取り出しのための巻取り部の回転である取り出し回転が許可され、取り出し操作が終了すると、取り出し回転とは反対の該巻取り部の回転である巻戻し回転が制限されることで、ストラップがストラップ装置本体から取り出された長さが維持される。【選択図】図２
2009183693.tif 000002
【特許請求の範囲】
【請求項１】
環状のストラップをユーザの身体の一部に掛けることで、該ストラップを介して対象物をユーザに携帯させるストラップ装置であって、
前記対象物が取り付けられ、ケース形状であるストラップ装置本体と、
前記ストラップ装置本体内で回転可能な状態で支持されて、前記ストラップの巻取りを行う巻取り部と、を備え、
ユーザによって前記ストラップを前記ストラップ装置本体から取り出す取り出し操作が行われたとき、ユーザによる該取り出し操作によってストラップ取り出しのための前記巻取り部の回転である取り出し回転が許可され、
ユーザによる前記取り出し操作が終了したとき、前記取り出し回転とは反対の該巻取り部の回転である巻戻し回転が制限されることで、前記ストラップが前記ストラップ装置本体から取り出された長さが維持される、
ストラップ装置。
【請求項２】
ユーザの操作により前記巻取り部の巻戻し回転を許可し、前記ストラップの巻き戻しを可能とする巻き戻し操作部を、更に備える、請求項１に記載のストラップ装置。
【請求項３】
前記巻取り部は、
前記ストラップが連結され、前記ストラップ装置本体に回転可能な状態で支持されるドラム本体と、
前記ドラム本体に設けられた羽部であって、ユーザによる前記取り出し操作が行われるとき前記巻取り部の取り出し回転を許容する第一端部と、前記ストラップ装置本体側に対して干渉状態となることで該巻取り部の巻戻し回転を制限する第二端部とを含むドラム側羽部と、を有し、
前記巻戻し操作部は、
前記ストラップ装置本体に対する回転が制限された状態で該ストラップ装置本体内に設けられ、且つ前記巻取り部に対して所定方向に相対移動可能な操作本体部と、
前記操作本体部に設けられた羽部であって、ユーザによる前記取り出し操作が行われるとき前記ドラム側羽部の第一端部と接触し前記操作本体部を前記所定方向に相対移動させる第三端部と、該ドラム側羽部の第二端部と前記干渉状態となる第四端部とを含む操作部側羽部と、を有し、
前記操作本体部に対してユーザによる操作が行われたとき、前記操作本体部が前記所定方向に相対移動することで前記第二端部と前記第四端部との干渉状態が解消される、
を有する請求項２に記載のストラップ装置。
【請求項４】
前記操作本体部に対してユーザによる操作が行われていないとき、前記巻戻し操作部に対し付勢力を作用させ、前記巻取り部側の前記第二端部と前記巻戻し操作部側の前記第四端部との干渉状態を維持する付勢部を、更に備える請求項３に記載のストラップ装置。
【請求項５】
前記巻取り部に巻き取られたストラップが前記ストラップ装置本体から取り出される二つの取り出し口を更に備え、
前記二つの取り出し口の間隔は、２５ｍｍ以上である、
請求項１から請求項４の何れかに記載のストラップ装置。
【請求項６】
前記ストラップ装置本体は、前記対象物を取り付けるフック部が設けられ、
前記フック部は、さらに、前記ストラップ装置本体を前記対象物以外の物に取り付ける挟持部が設けられている、
請求項１から請求項４の何れかに記載のストラップ装置。
【発明の詳細な説明】
【技術分野】
【０００１】
本発明は、ユーザがネームカード等の表示カードやカメラ等の小型機器を携帯するために、その首や手首等に掛けて使用するストラップ装置に関する。
【背景技術】
【０００２】
ユーザが自己を他人に認識してもらうために、体の前に名前や顔写真等を記載したネームカードを配置させたい場合や、又は自己認識のためのデータを格納しＲＦＩＤタグにより読取装置と無線通信を行う通信カードを、ユーザの読取り操作がし易いようにやはり体の前に配置させたい場合に、ユーザの首に環状のストラップを掛けてそれに上記ネームカードを装着させる場合がある。また、ネームカード以外にもカメラやビデオ録画装置等を携帯するために、同様に環状のストラップを利用してこれらの装置をユーザの手首や首に掛けることが行われる。
【０００３】
ここで、ユーザがストラップを利用してネームカード等を体の一部に掛けようとするとき、ユーザの動作のし易さや安全性等を理由として、当該ネームカード等を体の適正な位置に配置させる必要がある。例えば、ユーザの体の前にネームカードを、首から掛けたストラップによって配置させる場合、首からのストラップの長さが長すぎると周囲の物にストラップやネームカードを引っ掛ける等してユーザの安全性が低下する。また、その長さが短すぎると、ネームカードがユーザの動きを阻害する場合もある。さらには、状況に応じて求められる長さも異なる。例えば通常使用時には適当な長さであっても、水仕事を行う際には長すぎてネームカードが水に濡れてしまうため短くしたいという要求もある。
【０００４】
そこで、ユーザの体にカメラ等を掛けるためのストラップ装置であって、そのストラップ長を調整する機構を有する保持具に関する技術が開示されている。この技術では、環状のストラップの両端が、カメラ等を取り付けるケース内のドラムに取り付けられて、ドラムの回転によりストラップが巻き取られ又は取り出されることで、ストラップ長が調整される。これにより、ユーザは任意のストラップ長を得られる。
【特許文献１】特許第３７７８３０６号公報
【発明の開示】
【発明が解決しようとする課題】
【０００５】
ユーザがネームカードや携帯装置等をストラップ装置によって体の一部に掛けようとする場合、従来では、ストラップをストラップ装置から取り出すために、ストラップを引く操作以外の何らかの操作が要求される。例えば、ストラップが巻き取られているドラムの回転を許可するためのロック解除ボタンを押しながら、ストラップを引く操作がユーザには要求される場合がある。
【０００６】
しかし、ユーザにストラップを引く操作以外の操作が要求されると、ユーザに多くの操作を強いるためユーザの操作性が低下すると考えられる。また、ストラップに取り付けられたネームカード等が周囲の物に引っかかった場合に、ストラップの長さが容易に変更されないことによりユーザの首や手首等に衝撃的な負荷がかかる虞がある。
【０００７】
本発明では、上記した問題に鑑み、ユーザの操作性を高めるとともに、十分なユーザの安全性も確保することが可能なストラップ装置を提供することを目的とする。
【課題を解決するための手段】
【０００８】
本発明は、上記した課題を解決するために、ストラップ装置に収められているストラッ
プを取り出す場合には、ユーザがそのストラップを取り出す操作以外の操作を要求されない構成とした。これにより、ユーザの操作性は高まるとともに、その安全性が確保される。
【０００９】
詳細には、本発明は、環状のストラップをユーザの身体の一部に掛けることで、該ストラップを介して対象物をユーザに携帯させるストラップ装置であって、前記対象物が取り付けられ、ケース形状であるストラップ装置本体と、前記ストラップ装置本体内で回転可能な状態で支持されて、前記ストラップの巻取りを行う巻取り部と、を備える。そして、当該ストラップ装置では、ユーザによって前記ストラップを前記ストラップ装置本体から取り出す取り出し操作が行われたとき、ユーザによる該取り出し操作によってストラップ取り出しのための前記巻取り部の回転である取り出し回転が許可される。また、ユーザによる前記取り出し操作が終了したときは、前記取り出し回転とは反対の該巻取り部の回転である巻戻し回転が制限されることで、前記ストラップが前記ストラップ装置本体から取り出された長さが維持される。
【００１０】
上記ストラップ装置では、ユーザのストラップ取り出し操作によって、即ちそれ以外の操作がユーザには要求されない状態で、ストラップの長さ調整のための取り出しが可能となる。これにより、ユーザは容易にストラップ装置本体から取り出されたストラップの長さを調整することができる。その結果、対象物をユーザの身につけた状態で、該対象物の使用の目的に応じてその位置を任意に調整できるようになる。また、対象物やストラップ装置に不測の力が作用した場合でも、ユーザが何等の操作をしなくてもストラップが取り出されるため、その不測の力がユーザに急激に作用することが回避でき、ユーザの安全性を確保できる。
【００１１】
また、上記ストラップ装置において、ユーザの操作により前記巻取り部の巻戻し回転を許可し、前記ストラップの巻き戻しを可能とする巻き戻し操作部を、更に備えるようにしてもよい。これにより、ユーザが引き出されたストラップの巻き戻しを行いたい場合は、この巻き戻し操作部を操作すればよい。通常、ユーザは、ストラップを延ばす際は、入退室管理装置等に対象物の一つであるネームカードを近づけたい場合など、ストラップの長さをどの程度にするということを意識することなく可能な範囲内で無制限に延ばすことを欲する。これに対してストラップの長さを短くする際は、ユーザにとって最適な長さ（例えば他の作業等のじゃまにならないような長さなど）に意識的に設定する。そこで、本構成のストラップ装置では、ユーザは、延ばす際には対象物を持ち、対象物を目的の位置に配置する作業を行うことで、この作業にあわせてストラップが自動的に引き出される。言い換えれば、ユーザは、ストラップがあることを全く意識することなく、対象物を配置したい位置に（ストラップの最大長さの範囲内で）配置させることができる。一方、ストラップの長さを短くする際には、巻き戻し操作部を操作するというユーザの能動的作業によって意識的に長さを設定することができる。このように、本ストラップ装置では、ユーザのストラップの長さ調整をユーザの自然な意識・行動に即した操作によって実現することができる。
【００１２】
ここで、上述のストラップ装置のより具体的な構成について開示する。上記ストラップ装置において、前記巻取り部は、前記ストラップが連結され、前記ストラップ装置本体に回転可能な状態で支持されるドラム本体と、前記ドラム本体に設けられた羽部であって、ユーザによる前記取り出し操作が行われるとき前記巻取り部の取り出し回転を許容する第一端部と、前記ストラップ装置本体側に対して干渉状態となることで該巻取り部の巻戻し回転を制限する第二端部とを含むドラム側羽部と、を有してもよい。また、前記巻戻し操作部は、前記ストラップ装置本体に対する回転が制限された状態で該ストラップ装置本体内に設けられ、且つ前記巻取り部に対して所定方向に相対移動可能な操作本体部と、前記操作本体部に設けられた羽部であって、ユーザによる前記取り出し操作が行われるとき前
記ドラム側羽部の第一端部と接触し前記操作本体部を前記所定方向に相対移動させる第三端部と、該ドラム側羽部の第二端部と前記干渉状態となる第四端部とを含む操作部側羽部と、を有してもよい。そして、前記操作本体部に対してユーザによる操作が行われたとき、前記操作本体部が前記所定方向に相対移動することで前記第二端部と前記第四端部との干渉状態が解消される。
【００１３】
上記構成においては、巻取り部の第一端部と巻き戻し操作部の第三端部とが対応し、該巻取り部の第二端部と該巻き戻し操作部の第四端部とが対応する。第一端部と第三端部とは、取り出し操作によって接触し合うと巻き戻し操作部を所定方向に相対移動させて、その結果巻取り部の取り出し回転が可能となる。一方で、第二端部と第四端部とは、接触しても互いが干渉状態となり、巻き取り部を巻き戻し回転させることはない。その結果、ストラップ装置本体から引き出されたストラップの長さは維持されることになる。しかし、ユーザが操作本体部に操作を行うことで、この第二端部と第四端部との干渉状態が解消することが可能であり、その結果、ストラップの巻き戻しが可能となる。
【００１４】
ここで、上記構成を有するストラップ装置において、前記操作本体部に対してユーザによる操作が行われていないとき、前記巻戻し操作部に対し付勢力を作用させ、前記巻取り部側の前記第二端部と前記巻戻し操作部側の前記第四端部との干渉状態を維持する付勢部を、更に備えるようにしてもよい。付勢部の付勢力によって第二端部と第四端部との干渉状態を効率的に維持することができる。
【００１５】
また、上述までのストラップ装置において、前記巻取り部に巻き取られたストラップが前記ストラップ装置本体から取り出される二つの取り出し口を更に備え、前記二つの取り出し口の間隔は、２５ｍｍ以上としてもよい。これは出願人の検証によって得られた新たな知見に基づくものであり、このように取り出し口間隔を２５ｍｍ以上とすると、ストラップ装置の表裏状態を良好に維持することが可能である。
【００１６】
以上のようなストラップ装置は、ストラップの巻き取り機構等が必要な分、必然的に重くなってしまう。また、ストラップがユーザの首などから外れてしまったような場合、ストラップ装置の有無に関わらずネームカード等の対象物並びにストラップ装置を紛失してしまう危険がある。このようなストラップと対象物との間に対象物を取り付けるための要素を有するストラップ装置においては、ストラップ装置及び対象物をストラップのみによってユーザと結びつけるのではなく、他の手段によってもユーザと結びつけられるようにすることが望まれる。
【００１７】
そこで、対象物を取り付けるフック部を備えた、ストラップと接続されたストラップ装置本体においては、フック部にさらにユーザの胸ポケット等にストラップ装置本体を取り付けるための挟持部を設けることが好ましい。
【００１８】
従来、ストラップ装置本体におけるフック部が設けられた側とは反対側に挟持部を設けたストラップ装置が知られている。このストラップ装置は、本体における一方の面に設けられた挟持部においてユーザの胸ポケット等に取り付けられ、他方の面に設けられたフック部においてネームカードホルダーなどの対象物が取り付けられていた。したがって、一義的には上記問題を解決してはいるが、ユーザの胸ポケット等は布で構成されているので、（ｉ）ストラップ装置本体及び対象物の重みによって対象物が鉛直方向において下方向に向いてしまったり、（ｉｉ）挟持部がストラップ装置本体及び対象物の重みを支えきれずに胸ポケット等から外れてしまったりすることがあった。この（ｉｉ）の問題を解決するために挟持部の構成部品にバネを用いるなどして挟持部を複雑なものにせざるを得ない従来品もあった。
【００１９】
これに対し、上記ストラップ装置は、フック部に挟持部を設けているので、通常、ネームカードホルダーなどの対象物は胸ポケット等の外側に配置され、ストラップ装置本体は胸ポケット等の内側に配置される。したがって、挟持部を基準として対象物が従来技術のように極端に鉛直方向下方向に向いてしまうという問題がない（上記問題（ｉ）が解決されている。）。また、胸ポケット等をストラップ装置本体と対象物とで挟み込むように取り付けられるため、従来技術と比較して、挟持部を基準として対象物、ストラップ装置本体の一方の側に重量が偏るということがない。そのため、上記問題（ｉｉ）も解決されている。
【発明の効果】
【００２０】
ユーザの操作性を高めるとともに、十分なユーザの安全性も確保することが可能なストラップ装置を提供することができる。
【発明を実施するための最良の形態】
【００２１】
ここで、本発明に係るストラップ装置を有するネームストラップの実施の形態について図面に基づいて説明する。尚、本発明に係るストラップ装置は、ユーザの氏名等を記したネームカード等を保持するネームストラップに適用されるものであるが、これは本発明を当該実施例に限定する意図ではなく、本発明と技術的思想が同一の範囲にある限りは、ユーザが対象物を携帯するとき等に利便性を向上するために使用することが可能である。
【実施例１】
【００２２】
図１Ａ〜１Ｅには、ネームストラップ１の全体構造を示す。図１Ａはネームストラップ１の正面側の斜視図であり、図１Ｂはその背面側の斜視図であり、図１Ｃはその側面図である。このネームストラップ１は、ユーザが自己の名前や所属部署を記したネームカードを携帯するために、首にかけたストラップ（図１Ａ、１Ｂにおいては図示せず）を介して当該ネームカードがユーザの胸の前に保持されるようにするためのものである。また、このネームカードはＲＦＩＤタグによる無線機能を有する。従って、ユーザは必要に応じて、首にかけたネームストラップの状態で、当該ネームカードを所定のリーダ機能を有する読取り機器にかざすことで、入退室等の所定のセキュリティ操作を容易に行える。
【００２３】
また、図１Ｄは、ネームストラップ１の正面側においてネームカード１００を取り付けたときの、該ネームストラップ１とネームカード１００との相対位置関係を正面側から示す図であり、図１Ｅは、当該相対位置関係を背面側から示す図である。尚、図１Ｄにおいてネームストラップ１の前側に位置するネームカード１００は二点鎖線で示しており、図１Ｅにおいては更にネームストラップ１の内部に収容されるとともに、その一部が該ネームストラップ１の本体から取り出された状態にあるストラップが二点鎖線で示されている。
【００２４】
このように構成されるネームストラップ１では、ネームカード１００がネームストラップ１の表側に備えられているフック部（図１Ｃ等参照）に引っ掛けられることで該ネームストラップ１に取り付けられ、ユーザの使用に供される。また、ユーザが自己の使用の都合に合わせて、ネームストラップ本体から取り出されたストラップの長さ（以下、単に「ストラップの長さ」と言う。）の調整について言及する。先ずストラップの長さを長くするためには該ストラップをつまんで取り出せばよく、それ以外の操作は要求されない。取り出されたストラップは、自動的にネームストラップ本体から取り出された状態が保持される。一方でストラップの長さを短くするためには、図１Ａ、１Ｅで示されるロックボタン４０を押して、ストラップの上記保持状態を解除することで取り出されたストラップの一部又は全部をネームストラップ１本体の内部に収容する。以下に、このネームストラップ１の詳細な説明を行う。
【００２５】
図２は、ネームストラップ１の組み立て時における構成部材の相関関係が把握できるように、該構成部材を分解した状態で示す図である。ネームストラップ１は、主にネームカード１００が取り付けられる正面側（以下、本実施例において正面側と言うときは、このネームカード１００が取り付けられる側を言う。一方で、当該正面側の反対側を背面側と言う。）のカバー部材である表カバー１０、背面側のカバーである裏カバー２０、それらの間に挟まれて装着されるドラム３０、ロックボタン４０、弦巻バネであるコイル５０、渦巻きバネであるスパイラル６０、紐状のストラップ７０、セイフティパーツ８０で構成される。ドラム３０はストラップ７０が巻きつけられる部材であり、この巻き付け量が調整されることで、ストラップ７０がネームストラップ１の本体から取り出される量が変化することになる。
【００２６】
ここで、図３Ａ、３Ｂに表カバー１０の詳細な構造を示す。尚、図３Ａは表カバー１０を正面側から見たときの斜視図であり、図３Ｂは表カバー１０を背面側から見た斜視図である。図２に示される表カバー１０の状態は、図３Ｂに示す状態に相当する。ここで、表カバー１０は、正面側に平面状の表面を形成する表カバー本体部１１と、該表カバー本体部１１の周囲を囲みそれに垂直に立設される側壁部１４を有する。この側壁部１４のうち上側の側壁部にはネームストラップ１内に収納されたストラップ７０をその外部に取り出すための取り出し口１５が二箇所設けられている。そして、表カバー本体部１１の上側中央部分には、ネームカード１００を引っ掛けるためのフック部１２が設けられる。このフック部１２は、表カバー本体部１１の表面から垂直に突出した水平部１２ｂと、該水平部１２ｂの端部において上方向にクランクする垂直部１２ａとで構成される。また、垂直部１２ａの先端部分に、小さな鈎状の返し部１２ｃが設けられている。このフック部１２の断面図は、図１Ｃに示されているので参照されたい。このように構成されるフック部１２に、ネームカード１００を引っ掛けて、又は該ネームカード１００を収納するホルダー等に設けられた孔を引っ掛けることで、該ネームカード１００のネームストラップ１への取り付けが行われることになる。
【００２７】
また、図３Ｂに示すように、表カバー１０の背面側には、側壁部１４によって形成されたくぼみ部の中央部分に、表カバー本体部１１の裏面からそのくぼみ部側に突出した、円柱状の嵌合軸部１３が設けられている。この嵌合軸部１３は、ネームストラップ１を組み立てる際に使用されるものである。この嵌合軸部１３には、その中央部分に軸方向に延びる円柱穴部１３ａと、該円柱孔部１３ａを挟むようにその両側に位置し、嵌合軸部１３の壁面をスリット状に切り欠いたスリット部１３ｂが設けられている。
【００２８】
次に、図４Ａ、４Ｂに裏カバー２０の詳細な構造を示す。尚、図４Ａは裏カバー２０を背面側から見たときの斜視図であり、図４Ｂは裏カバー２０を正面側から見た斜視図である。図２に示される裏カバー２０の状態は、図４Ａに示す状態に相当する。ここで、裏カバー２０は、背面側に平面状の表面を形成する裏カバー本体部２１と、該裏カバー本体部２１の周囲を囲みそれに垂直に立設される側壁部２４を有する。この側壁部２４のうち上側の側壁部にはネームストラップ１内に収納されたストラップ７０をその外部に取り出すための取り出し口２５が二箇所設けられている。また、裏カバー本体部２１の中央部分には円形の貫通孔２２が設けられており、ネームストラップ１の組み立て時においては、この貫通孔２２は上記嵌合軸部１３と中心軸が重なる相対位置関係を有する。
【００２９】
また、図４Ｂに示すように、裏カバー２０の正面側には、側壁部１４によって形成されたくぼみ部の中央部分に、上記貫通孔２２が位置する。そして、裏カバー本体部２１の正面側には、この円形の貫通孔２２の周囲を囲むように環状の縁部２３が設けられている。この縁部２３は、後述するロックボタン４０の緩衝部４４が所定動作時に接触する部分である。
【００３０】
次に、図５Ａ、Ｂにドラム３０の詳細な構造を示す。尚、図５Ａはドラム３０を背面側から見たときの斜視図であり、図５Ｂはドラム３０を正面側から見た斜視図である。図２に示されるドラム３０の状態は、図５Ａに示す状態に相当する。図５Ａに示すように、ドラム５０は、環状で且つドラム３０の軸方向に延びるドラム本体部３１を有する。更に、このドラム本体部３１を三方向で囲みドラム本体部３１の延在方向に沿うように、弧状の側壁部３２ａ、３２ｂ、３２ｃが設けられている。この側壁部３２ａ、３２ｂ、３２ｃは、図５Ａに示すように背面側においては、それぞれドラム本体部３１と離間した状態で配置されることで、各側壁部とドラム本体部３１との間に溝部３６ａ、３６ｂ、３６ｃが形成される。一方で、この側壁部３２ａ、３２ｂ、３２ｃは、図５Ａに示すように正面側においては、ドラム本体部３１と連結された状態で形成される。
【００３１】
そして、側壁部３２ａと側壁部３２ｂとの間には、ドラム３０の軸方向に沿って背面側から正面側に延びるが、該正面側にまでは完全に到達しない切り欠き部３３が設けられている（図５Ｂには、切り欠き部３３が正面側まで到達せずに、側壁部３２ａと側壁部３２ｂが一部で連結されている状態が示されている。）。また、側壁部３２ａと側壁部３２ｃとの間および側壁部３２ｂと側壁部３２ｃとの間には、ドラム３０の軸方向に沿って背面側から正面側まで延びる溝部３４がそれぞれ設けられている。これら一つの切り欠き部３３と二つの溝部３４は、切り欠き部３３を中心として二つの溝部３４が線対称となる位置に配置される。そして、二つの溝部３４の配置は、ドラム本体部３１の環状周囲において、切り欠き部３３と一の溝部３４とがドラム本体部３１の中心と為す角が９０度〜１８０度となる位置が好ましい。尚、図５Ａにおいては、当該角が略１２０度のときの、溝部３４の配置状態が示されている。また、切り欠き部３３の幅は、溝部３４の幅よりも小さく設計されており、後述するように平織り紐状のストラップ７０の厚さの２倍程度の幅となっている。
【００３２】
更に、図５Ｃに示すように、各溝部３４が配置されるドラム本体部３１の表面上には、該ドラム本体部３１の軸方向に延在し、当該表面を盛り上がった形状に形成する段差部３１ａが設けられ、更にその段差部３１ａの上には突出した突起部３１ｂが設けられている。この突起部３１ｂの突起方向は、対向する側壁部に設けられた各溝部３４の開口方向（ドラム本体部３１の外方向）であって、図５Ａに示す切り欠き部３３の開口方向を基準とするとそれよりドラム本体部３１の環状周囲に対して左右に略１２０度下向きの方向である。
【００３３】
ここで、図５Ａに示すように、ドラム３０の背面側には環状のドラム本体部３１で囲まれることで形成されるくぼみ部３５が形成されている。一方で、図５Ｂに示すように、ドラム３０の正面側には環状のドラム本体部３１とそれと連結された各側壁部とで囲まれることで形成されるくぼみ部３９が形成されている。そしてこれらのくぼみ部３５と３９を連通させるように、ドラム３０の中心部に貫通孔３７が設けられている。この貫通部３７は、ネームストラップ１の組み立て時においては、上記嵌合軸部１３とその中心軸が重なる相対位置関係を有する。
【００３４】
また、図５Ａに示すように、ドラム本体部３１からくぼみ部３５の内部方向に飛び出すように羽部３８が二箇所に設けられている。この羽部３８は略平板状をしているが、ドラム本体部３１の環状周方向に沿って羽部３８の厚さは徐々に変化してテーパ形状を形成している。図５Ａに示す状態では、羽部３８は端部３８ａから端部３８ｂに沿ってその厚さは徐々に厚くなっている。そして、羽部３８は、端部３８ａにおいては丸みが付けられた端部形状となっており、一方で端部３８ｂにおいては概ね平面の端部形状となり、いわば切り立った端部を形成している。
【００３５】
次に、図６Ａ、Ｂにロックボタン４０の詳細な構造を示す。尚、図６Ａはロックボタン
４０を背面側から見たときの斜視図であり、図６Ｂはロックボタン４０を正面側から見た斜視図である。図２に示されるロックボタン４０の状態は、図６Ａに示す状態に相当する。図６Ａに示すように、ロックボタン４０は円盤状のボタン本体部４１を有する。そして、このボタン本体部４１に対して同心状に円柱状のボタン部４２が設けられており、このボタン部４２の内部は、図６Ｂに示すように中空状になることでくぼみ部４５が形成されている。
【００３６】
ここで、円盤状のボタン本体部４１の側方（図６Ａにおける上下左右方向）には、該ボタン本体４１から延出して形成される４つの羽部４３が、図６Ａに示すようにボタン本体部４１の周囲に対して、略９０度毎に等角配置されている。また、この羽部４３は略平板状をしているが、ボタン本体部４１の周方向に沿って羽部４３の厚さは徐々に変化してテーパ形状を形成している。図６Ａに示す状態では、羽部４３は端部４３ａから端部４３ｂに沿ってその厚さは徐々に厚くなっている。そして、羽部４３は、端部４３ａにおいては丸みが付けられた端部形状となっており、一方で端部４３ｂにおいては概ね平面の端部形状となり、いわば切り立った端部を形成している。尚、後述するが、ロックボタン４０の羽部４３は、ネームストラップ１の組み立て時において上記ドラム３０のくぼみ部３５に収容された状態となり、そのとき羽部３８に対して所定の相対関係を有する。
【００３７】
更に、ロックボタン４０には、ボタン本体４１における４つの羽部４３のそれぞれに対応した位置に、４つの緩衝部４４が設けられている。この緩衝部４４は、その先端が半球状に形成されボタン本体４１の本体表面４１ａを基準面としたときその表面からボタン部４２の先端方向に突出するように形成される球状先端部４４ａと、該球状先端部４４ａをボタン部４２側に弾性的に連結する連結部４４ｂを有している。これにより、緩衝部４４の球状先端部４４ａが、弾性状態でロックボタン４０に備えられたことになる。尚、この緩衝部４４は、本実施例においてはボタン本体４１側には連結されてはいないが、上記球状先端部４４ａが本体表面４１ａから突出する限り、ボタン本体４１側に連結されてもよい。
【００３８】
ここで、図７に弦巻バネであるコイル５０の詳細を示す。コイル５０は、線材を弦巻状に成形したものである。また、図８には、スパイラル６０の詳細を示す。スパイラル６０は、帯状の鋼材を渦巻状に形成したものであり、その渦巻きの中心側の端部が６１、該渦巻きの外側の端部が６２とされる。尚、これらコイル５０およびスパイラル６０の寸法や材質は、組み立てられたネームストラップ１がユーザの使用に適した状態となるべく、上述した寸法等とは異なる寸法等を採用してもかまわない。
【００３９】
次に、ネームストラップ１の組み立てについて説明する。ここで、図９に、ネームストラップ１に組み込まれる平織り紐状のストラップ７０を示す。ストラップ７０は組み込まれる前の状態では、一本の平織り紐状でありその二つの端部は７１ａ、７１ｂとされる。ここで図９に示すストラップ７０の状態は、ネームストラップ１に組み込まれたときの状態であり、このときストラップ７０は、ドラム３０によってネームストラップ１内に巻き込まれる巻き込み部分７２が形成される（図９ではドラム３０は図示せず）。そして、ストラップ７０の端部７１ａ、７１ｂは、巻き込み部分７２には含まれず、常にネームストラップ１の本体外に出された状態となり、図２に示すように各端部にはセイフティパーツ８０が取り付けられる。
【００４０】
ここで、ドラム３０へのストラップ７０の取り付けについて図１０に基づいて説明する。図１０は、ドラム３０を背面側から見たときの、ストラップ７０の取付け状態を示す図である。尚、図１０においてはストラップ７０の取付け状態を特徴的に示すために、ドラム３０の各構成の寸法縮尺は適宜調整されている。ストラップ７０については、その両端部７１ａ、７１ｂが含まれない途中部が、ドラム本体３１と側壁部３２ａ、３２ｂ、３２
ｃで挟まれて形成される溝部３６ａ、３６ｂ、３６ｃに嵌め込まれるとともに、切り欠き部３３から両端部７１ａ、７１ｂが取り出された状態となる。このとき、図１０からも明らかな通り、ストラップ７０の中央部７１ｃが、図に示す位置、即ち切り欠き部３３から見たとき溝部３６ｃの最奥部近傍に来るようにストラップ７０の嵌め込みが行われる。従って、一本のストラップ７０のうち、溝部３６ｃから溝部３６ａに至って切り欠き部３３から取り出されるストラップ７０の一部分の長さと、溝部３６ｃから溝部３６ｂに至って切り欠き部３３から取り出されるストラップ７０の他部分の長さが概ね同じ長さとなる。
【００４１】
ここで、ドラム３０のうち溝部３４が設けられている部分には、上述の通り突起部３１ｂが配置されている。これにより、各溝部に嵌め込まれたストラップ７０は、二つの突起部３１ｂの突起先端にひっかかるように接触する。そして切り欠き部３３から取り出されたストラップ７０は両端部が引っ張られることで、この突起部３１ｂの突起先端がストラップ７０にしっかりとひっかかる結果となり、ストラップ７０がドラムに対してスリップしないように連結される。更に、切り欠き部３３の幅は、図１０に示すようにストラップ７０の２本分の厚さと同程度の幅となっている。従って、この切り欠き部３３へのストラップ７０の嵌め合いにより突起部３１ｂによる食い込みがいたずらに緩んでしまうことが防止される。
【００４２】
そして、切り欠き部３３から取り出されたストラップ７０は、二本分重ねられた状態で一緒にドラム３０の側壁部３２ａ、３２ｂ、３２ｃの外表面に巻きつけられ、上記巻き込み部分７２が形成されることになる。尚、ストラップ７０がドラム３０に巻きつけられた状態は、図２に示されている。ここで、図２に基づいて、ネームストラップ１の組み立て手順について説明する。
【００４３】
先ず、表カバー１０の嵌合軸部１３のスリット部１３ｂにスパイラル６０の端部６１を挟み込む。これによりスパイラル６０が表カバー１０に対して固定された状態となる。そしてこのスパイラル６０をくぼみ部３９に収まるように、ストラップ７０が巻き付けられたドラム３０をスパイラル６０に取り付ける。このときスパイラル６０の端部６２がドラム３０に固定される。この状態において、嵌合軸部１３はドラム３０の貫通孔３７に挿通される。更に、この嵌合軸部１３の円柱穴部１３ａにコイル５０を嵌めこみ、該コイル５０がくぼみ部４５に収まるようにロックボタン４０を被せ、裏カバー２０を取り付ける。これにより、ロックボタン４０はコイル５０によって支持される形になり、その結果押し縮められたコイル５０によって、ロックボタン４０を裏カバー２０に押し付ける押圧力が作用することになる。そして、この押圧力によって、ロックボタン４０の緩衝部４４の４つの球状先端部４４ａが裏カバー２０の縁部２３に接触した状態となっている。尚、この押圧力はロックボタン４０の動きを完全に固定させるためのものではなく、押圧力に抗しながらロックボタン４０は後述する第一所定位置から第二所定位置の範囲を動くことが可能である。また、このときストラップ７０の両端部は表カバー１０の取り出し口１５および裏カバー２０の取り出し口２５によって、ネームストラップ１の外部に常に取り出された状態となっている。以上の手順により、嵌合軸部１３を中心として、表カバー１０、スパイラル６０、ドラム３０、コイル５０、ロックボタン４０、裏カバー２０が組みつけられて、最終的にネームストラップ１が構成される。
【００４４】
尚、上述の通り、ストラップ７０の両端部７１ａ、７１ｂにはセイフティパーツ８０が取り付けられている。このセイフティパーツ８０は、ユーザの首や手首等にネームストラップ１を掛けることができるようにストラップ７０を最終的に環状にするためのものである。一方で、ネームストラップ１に不測の力が掛かったときにストラップ７０を介してその不測の力がユーザに伝わりユーザがトラブルに巻き込まれるのを回避すべく、該ストラップ７０の環状形状を解消することを可能とするためのものでもある。そこで、このような機能を発揮するセイフティパーツ８０の構成例を図１１に示す。
【００４５】
図１１に示すセイフティパーツ８０は、略直方体のパーツ本体部８１の一面に雌型の嵌合部８２と雄型の嵌合部８３が並んで設けられている。この形式のセイフティパーツ８０は、二つのセイフティパーツ８０を、それぞれの雌型嵌合部８２と雄型嵌合部８３とが対向するように並べ、嵌合させることが可能となっている。従って、ストラップ７０の一方の端部７１ａに一のセイフティパーツ８０を取り付け、もう一方の端部７１ｂには各嵌合部が相手側の嵌合部に対応するように別のセイフティパーツ８０を取り付けることで、ストラップ７０の環状形状の形成、解除が可能となる。このように一種類のセイフティパーツで、上記セイフティパーツに必要とされる機能が発揮される。
【００４６】
また、図１１に示すような一種類のセイフティパーツで上記機能を発揮する例に代えて、二種類のセイフティパーツで上記機能を発揮するようにしてもよい。即ち、ストラップ７０の一方の端部に取り付けられるセイフティパーツには雄型の嵌合部を設け、他方の端部に取り付けられるセイフティパーツには雌型の嵌合部を設ければよい。このようにセイフティパーツを構成しても、必要とされる上記機能は十分に発揮できる。
【００４７】
このように構成されるネームストラップ１では、ユーザの使用前の状態ではストラップ７０の端部に取り付けられたセイフティパーツ８０は、表カバー１０と裏カバー２０の各上側の側壁部に沿って配置される（図２を参照。図２では、分解された状態のネームストラップ１が示されているが、図２に示す状態のセイフティパーツ８０が、表カバー１０と裏カバー２０の上側部に沿って位置することになる。）これは、上述したようにストラップ７０のドラム３０への取り付けは、図１０に示すように行われるため、ストラップ７０の端部７１ａ、７１ｂをネームストラップ１の外部に常に出した状態とすることが可能となることで実現されるものである。そして、ユーザはネームストラップ１を使用する際には、このセイフティパーツ８０の部分を引っ張ることでユーザストラップ１内に納められているストラップ７０が取り出される。このとき、ストラップ７０の端部７１ａ、７１ｂはセイフティパーツ８０によってつなげられた状態となっているため、ユーザに対しては直ちに環状のストラップ７０が形成されることになるため、直ちに首や手首等に掛けて使用することが可能となる。
【００４８】
そして、ユーザが首等に掛けてネームストラップ１を使用したとき、上記セイフティパーツ８０は、その首の後ろ側等の該首に隣接した位置に至る。これは、ストラップ７０の中央部７１ｃが図１０に示す位置に配置され、その結果その両端部が表カバー１０と裏カバー２０の各上側の側壁部上に配置されるため、結果的にユーザの使用時においてセイフティパーツ８０がネームストラップ１から最も遠い位置に到達することに拠る。このような構成を採ることで、ネームストラップ１の使用時の安全性を極めて高く維持することが可能となる。即ち、ネームプレート１はユーザの首等に掛けて使用されるためシュレッダー装置等の機械に巻き込まれる可能性もあるが、使用時にセイフティパーツ８０をネームストラップ１から最遠位置に配置させることができることで、ネームストラップ１本体が機械等に巻き込まれても安全装置としてのセイフティパーツ８０はユーザの近くに正常な状態で確保されているため、ユーザはセイフティパーツ８０の安全機能により、ユーザは首等をストラップ７０から外すことが可能となる。換言すると、ネームストラップ１においては機械等に巻き込まれやすい場所にセイフティパーツ８０が配置されない構成を採ることで、ユーザの安全性を担保するものである。
【００４９】
上記したように危険時にネームストラップ１からストラップ７０が自動的に引き出されて不測の力がユーザに急激に作用することを回避し得るように構成されたネームストラップ１において、ストラップ７０の端部同士を上記したようにセイフティパーツ８０で接続すれば、危険時にセイフティパーツ８０を取り外す時間的余裕が従来以上に確保される。
【００５０】
なお、セイフティパーツ８０として図１１に示すような不測の力が働いた場合に自動的に分裂するタイプのものを採用した場合には、危険時、ネームストラップ１からストラップ７０が自動的に引き出されてユーザに急激な力が掛かったりユーザが急激に引き込まれたりするといったことが防止されるという第一の安全機能と、セイフティパーツ８０の分裂により危険を回避するという第二の安全機能が働くこととなる。例えば、危険発生時の第一段階において、第一の安全機能によって、ユーザの脱出等の時間を稼ぐことができたり、ユーザに急激な力が作用しないようにできるため（ユーザが急激に引き込まれずにすむため）ユーザに心のゆとりを持たせパニックに陥らないようにしたりすることができる。この際、ユーザは、セイフティパーツ８０を自力で分裂させることも可能である。そして、さらにストラップ７０が引き込まれた場合であっても、第二の安全機能によってセイフティパーツ８０が自動的に分裂する。このように、二つの安全機能を搭載したネームストラップ１は、極めて安全性が高い。ただし、セイフティパーツ８０を採用せず、第一の安全機能のみを採用した構成であっても、上記したような作用を奏するため、極めて高い安全性を確保し得る。
【００５１】
ここで、ユーザの使用に伴うネームストラップ１におけるストラップ７０の取り出し、巻き込みについて説明する。ネームストラップ１においては、上述したように図５Ａに示すドラム３０のくぼみ部３５に、図６Ａに示すロックボタン４０が収容された状態となる。その状態では、ドラム３０の羽部３８とロックボタン４０の羽部４３に着目すると、端部が丸まった形状となっている端部３８ａと端部４３ａとが接触可能であって、または端部３８ｂと端部４３ｂとが接触可能である。そして、ユーザがストラップ７０を取り出す操作をしたとき、それが巻き付けられたドラム３０を回転させるが、この回転方向は端部３８ａと端部４３ａが近接する方向である。従って、ユーザがストラップ７０の取り出し操作を行うと、端部３８ａと端部４３ａが接触するが、両端部は丸みが付けられた形状であり、また両端部の羽部の厚さは比較的薄いため、結果的に当該取り出し操作に応じて、互いの羽部がコイル５０による押圧力に抗しながら互いを乗り越えていく。
【００５２】
このとき、コイル５０による押圧力の付勢方向における、ロックボタン４０の動きについて言及する。端部３８ａと端部４３ａが上記のように接触する前は、コイル５０の押圧力によりロックボタン４０は裏カバー２０に接触した位置（以下、「第一所定位置」と言う。）にある。そして、互いの羽部の乗り越えが行われていくと、コイル５０に抗してロックボタン４０は正面側に移動する。そして、ロックボタン４０が最も正面側に移動した位置を第二所定位置とすると、ロックボタン４０がこの第二所定位置に至った直後に互いの羽部の乗り越えが終了し、ロックボタン４０はコイル５０の押圧力によって再び第一所定位置に戻される。このようにユーザの引き出し操作により、ロックボタン４０は第一所定位置と第二所定位置との間を往復することになる。
【００５３】
従ってネームストラップ１の使用時に、ユーザには、ストラップ７０を取り出す以外の操作、例えばロックボタンのボタン部４２を押圧する等の操作は要求されない。この結果、ユーザはネームストラップ１から取り出されたストラップ７０の長さを長くしたいときのユーザの利便性が向上する。また安全性の面からも、上記機構は有用である。即ち、ネームストラップ１が機械等に巻き込まれてストラップ７０に不測の力が働いたとしても、ユーザが何らの操作を行うことも無くストラップ７０の長さがその最大長まで長くなるため、セイフティパーツ８０の係合をユーザが外す等、ユーザが危険から回避する何らかの行動を採る余裕が生まれることになる。
【００５４】
尚、ユーザが上記ストラップ７０の取り出し操作を行うとドラム３０の回転に伴い、スパイラル６０に弾性エネルギーが蓄積され、ドラム３０とロックボタン４０とを相対的に上記回転とは反対の向きに回転（以下、単に「反対回転」と言う。）させようとする力が働く。しかし、ドラム３０の羽部３８の端部３８ｂとロックボタン４０の羽部４３の端部
４３ｂは互いに切り立って状態となっているため、両端部が干渉し合うことでユーザが何ら操作を行わないとドラム３０は上記反対回転を行うことはできない。
【００５５】
ドラム３０に上記反対回転を行わせるためには、ユーザはロックボタン４０のボタン部４２を押圧する。これにより、コイル５０で支持されているロックボタン４０がネームストラップ１内に押し込まれた状態となり、その結果、ロックボタン４０は強制的に第二所定位置またはそれより更に正面側の位置に移動させられる。そして、この位置では、端部４３ｂと端部３８ｂとの緩衝状態が解消される。即ち、ボタン部４２の押圧操作により、ロックボタン４０の羽部４３がドラム３０の羽部３８の下に滑り込む状態となるため、ドラム３０が上記反対回転を行うことが可能となる。従って、この状態ではスパイラル６０に溜められた弾性エネルギーによりドラム３０が上記反対回転させられ、以て取り出されたストラップ７０が、ネームストラップ１内に引き戻されてドラム３０に再び巻き戻された状態となる。そして、このボタン部４２の押圧動作時間をユーザが調整することで、ストラップ７０の引き戻し量を調整できる。
【００５６】
また、ロックボタン４０には４枚の羽部４３が設けられているため、ロックボタン４０とドラム３０との相対位置関係は、９０度回転毎に調整することが可能である。よって、このロックボタン４０の羽枚数を調整することで、ロックボタン４０ドラム３０との相対位置関係の調整を更に細かくすることも可能である。
【００５７】
次に、ストラップ７０の取り出し操作が行われるときのロックボタン４０の動きについて説明する。上述したように組み立てられたネームストラップ１においては、ロックボタン４０はコイル５０から押圧力を受けた状態で、取り出し操作により第一所定位置と第二所定位置との間を移動する。ここで、羽部３８と羽部４３が互いを乗り越え第二所定位置から第一所定位置へ戻ろうとするとき、当該乗り越え毎にコイル５０からの押圧力によってロックボタン４０が裏カバー２０に衝撃的に接触し、接触音が発生する可能性がある。しかし、本実施例に係るロックボタン４０と裏カバー２０との接触は、ロックボタン４０に設けられた４つの球状先端部４４ａを介して点接触のように接触面積が比較的小さい状態で行われるため、言い換えると当該接触がロックボタン４０の本体表面４１ａと裏カバー２３との面接触状態で行われることが回避されるため、上記接触音を可及的に小さくすることができる。また、本実施例に係るロックボタン４０では、球状先端部４４ａは連結部４４ｂによって弾性的に支持されているため、より接触音を小さくすることが可能である。
【００５８】
また、ネームストラップ１には上記フック部１２が設けられている。このフック部１２は、垂直部１２ａと水平部１２ｂによって構成され、この図１Ｃに示すように平たいネームカード１００をネームストラップ１の上方から引っ掛けるように、ネームストラップ１に取り付けることが可能となる。この結果、ネームカード１００の平面部分が、表カバー１０の表面の平面部分に沿う状態でネームストラップ１に取り付けられるため、ネームカード１００とネームストラップ１とが一体的に且つ安定的に取り付けられる。これにより、ネームストラップ１の使用時にその外観を良好に保つことができる。また、ネームカード１００が上方を向いた垂直部１２ａを介して取り付けられることで、更には返し部１２ｃによりネームカード１００に何らかの外力がかかってしまっても、ネームカード１００が容易に外れてしまうことを回避できる。
【００５９】
ここで、本出願人は、ネームストラップ１からストラップ７０が取り出されそれをユーザの首に掛けたときに、ネームストラップ１が回転せずに表裏状態を安定的に維持することができる、ストラップ７０の取り出し位置に関して、即ち表カバー１０の２つの取り出し口１５と裏カバー２０の２つの取り出し口２５とで形成される、２つの取り出し口の間隔に関して、検証により新たな知見を得た。ここで、出願人が行った検証について説明す
る。
【００６０】
検証では、上記２つの取り出し口の間隔を0mm（即ち、取り出し口が一つの状態）、10mm、15mm、25mm、50mmに変更した複数のネームストラップを用意し、それを一枚の板上に
一列に並べる。このとき各ネームストラップは、各取り出し口から取り出されたストラップの長さが300mmとなるように２本のストラップで、且つ２本のストラップの最長離間距
離が100mmとなる略三角形又は略台形状態である。検証開始前では、各ネームストラップ
を並べた板を傾けて該板で各ネームストラップを支えている状態とする。そして、そのとき各ネームストラップのストラップは一回転捩られた状態となっている。
【００６１】
検証を開始するにあたり、上記板を徐々に起こしていく。ここで、各ネームストラップの動きを、捩れが元に戻る順番と、その戻るときの回転の速度を測定者の目視により測定する。即ち、ストラップによるネームストラップの表裏状態が好適に維持されるためには、ストラップによって維持力が強く作用することが必要である。するとこの維持力が大きいほど、上記検証状態においてはストラップの捩れが早期に解消され、且つ解消時のネームストラップの回転速度が速くなると考えられる。そこで、上記検証により捩れの解消する順番と、その際の回転速度が測定される。
【００６２】
出願人が得た検証結果では、上記２つの取り出し口の間隔が50mm、25mm、15mm、10mm、0mmの順に上記捩れ状態が解消した。また、捩れ解消時の回転速度は、上記２つの取り出
し口の間隔が50mm、25mmのケースは比較的早かったが、残りのケースでは比較的遅く且つ互いの差は僅差であった。従って、出願人は上記２つの取り出し口の間隔を25mm以上とすることで、ネームストラップ１の表裏状態を安定的に維持することができるという知見を得た。
【００６３】
また、図１Ａや図１Ｃ、図３Ａに明確に示されているように、フック部１２は、対象物たるネームカード（ネームカードホルダー）１００が取り付けられる機能（対象物取付機能／対象物取付部）だけでなく、ネームストラップ（ストラップ装置本体）１をユーザの胸ポケット等に取り付けるための挟持機能（挟持部）も備えている。以下、当該挟持機能を発揮させた一例を示した図１２を用いて詳細に説明する。
【００６４】
図１２における引っ掛け部１２ｂは、水平部１２ｂを基準として対象物取付部を構成する垂直部１２ａとは反対方向に延在し、水平部１２ｂ及び表カバー１０とともに挟持部を構成する。引っ掛け部１２ｂと表カバー１０との間には胸ポケットの表地２０１が挟まれるため、ネームストラップ１は胸ポケットの表地２０１とユーザの衣服２００の間、すなわち胸ポケット内側に位置し、ネームカード１００は胸ポケットの外側に位置する。このように、図１〜図１２に示すネームストラップ１のフック部１２は、対象物取付機能の他に挟持機能をも備える。図１３〜図１５は、フック部１２における他の挟持部例を示した側面図である。
【００６５】
図１３に示すフック部１２は、水平部１２ｂに図中上方向に開口したＵ字状の引っ掛け部１２ｅが設けられ、引っ掛け部１２ｅにおける水平部１２ｂと接続している側とは反対側に垂直部１２ａが設けられている。そして挟持部は、引っ掛け部１２ｅの表カバー１０側と水平部１２ｂと表カバー１０とにより構成されている。この構成によれば、ネームカード１００と胸ポケット表地２０１とが接触しないので、ネームカード１００に設けられたフック部１２が通される貫通孔内に胸ポケット表地２０１が入り込むことがない。したがって、胸ポケット表地２０１が貫通孔内に入り込むことによる当該貫通孔への負荷を防止できる。
【００６６】
図１４、図１５に示すフック部１２は、挟持機能をより高めるため、図１４の構成にお
いては引っ掛け部１２ｅにおける表カバー１０側に、表カバー１０方向へ突設した凸状部１２ｆを設け、図１５の構成においては表カバー１０に引っ掛け部１２ｅ方向へ突設した凸状部１１ａを設けている。
【００６７】
なお、上記実施例においてはネームストラップ１とネームカード１００とを別体としたが、一体とすることもできる。すなわち、つり下げ対象物自体にネームストラップ１の機構を組み込むこともできる。
【図面の簡単な説明】
【００６８】
【図１Ａ】本発明の実施例に係るネームストラップを正面側から見たときの斜視図である。
【図１Ｂ】本発明の実施例に係るネームストラップを背面側から見たときの斜視図である。
【図１Ｃ】本発明の実施例に係るネームストラップの側面図である。
【図１Ｄ】本発明の実施例に係るネームストラップにネームカードを取り付けた状態の正面図である。
【図１Ｅ】本発明の実施例に係るネームストラップにネームカードを取り付けた状態の背面図である。
【図２】本発明の実施例に係るネームストラップを構成する構成部品の概略を示した図である。
【図３Ａ】本発明の実施例に係るネームストラップを構成する表カバーを正面側から見たときの斜視図である。
【図３Ｂ】本発明の実施例に係るネームストラップを構成する表カバーを背面側から見たときの斜視図である。
【図４Ａ】本発明の実施例に係るネームストラップを構成する裏カバーを背面側から見たときの斜視図である。
【図４Ｂ】本発明の実施例に係るネームストラップを構成する裏カバーを正面側から見たときの斜視図である。
【図５Ａ】本発明の実施例に係るネームストラップを構成するドラムを背面側から見たときの斜視図である。
【図５Ｂ】本発明の実施例に係るネームストラップを構成するドラムを正面側から見たときの斜視図である。
【図５Ｃ】本発明の実施例に係るネームストラップを構成するドラムの溝部近傍の拡大図である。
【図６Ａ】本発明の実施例に係るネームストラップを構成するロックボタンを背面側から見たときの斜視図である。
【図６Ｂ】本発明の実施例に係るネームストラップを構成するロックボタンを正面側から見たときの斜視図である。
【図７】本発明の実施例に係るネームストラップを構成する弦巻バネであるコイルの構成を示す図である。
【図８】本発明の実施例に係るネームストラップを構成する渦巻きバネであるスパイラルの構成を示す図である。
【図９】本発明の実施例に係るネームストラップを構成する平織り紐状のストラップの構成を示す図である。
【図１０】図９に示すストラップのドラムへの取付け状態を示す図である。
【図１１】本発明の実施例に係るネームストラップを構成するセイフティパーツの構成を示す図である。
【図１２】図１Ｃに示すネームカードストラップの挟持部１２ｄの作用・効果を説明するための図である。
【図１３】他の構成の挟持部を有するネームストラップを示した側面図である。
【図１４】他の構成の挟持部を有するネームストラップを示した側面図である。
【図１５】他の構成の挟持部を有するネームストラップを示した側面図である。
【符号の説明】
【００６９】
１・・・・ネームストラップ
１０・・・・表カバー
１１・・・・表カバー本体
１２・・・・フック部
１３・・・・嵌合軸部
１４・・・・側壁部
１５・・・・取り出し口
２０・・・・裏カバー
２１・・・・裏カバー本体
２２・・・・貫通孔
２３・・・・縁部
２４・・・・側壁部
２５・・・・取り出し口
３０・・・・ドラム
３１・・・・ドラム本体部
３１ｂ・・・・突起部
３２ａ、３２ｂ、３２ｃ・・・・側壁部
３３・・・・切り欠き部
３４・・・・溝部
３５・・・・くぼみ部
３６ａ、３６ｂ、３６ｃ・・・・溝部
３７・・・・貫通孔
３８・・・・羽部
３９・・・・くぼみ部
４０・・・・ロックボタン
４１・・・・ボタン本体部
４２・・・・ボタン部
４３・・・・羽部
４４・・・・緩衝部
４４ａ・・・・球状先端部
４４ｂ・・・・連結部
４５・・・・くぼみ部
５０・・・・コイル
６０・・・・スパイラル
７０・・・・ストラップ
８０・・・・セイフティパーツ
８１・・・・パーツ本体部
８２・・・・雌型嵌合部
８３・・・・雄型嵌合部
【図１Ａ】
2009183693.tif 000003
【図１Ｂ】
2009183693.tif 000004
【図１Ｃ】
2009183693.tif 000005
【図１Ｄ】
2009183693.tif 000006
【図１Ｅ】
2009183693.tif 000007
【図２】
2009183693.tif 000008
【図３Ａ】
2009183693.tif 000009
【図３Ｂ】
2009183693.tif 000010
【図４Ａ】
2009183693.tif 000011
【図４Ｂ】
2009183693.tif 000012
【図５Ａ】
2009183693.tif 000013
【図５Ｂ】
2009183693.tif 000014
【図５Ｃ】
2009183693.tif 000015
【図６Ａ】
2009183693.tif 000016
【図６Ｂ】
2009183693.tif 000017
【図７】
2009183693.tif 000018
【図８】
2009183693.tif 000019
【図９】
2009183693.tif 000020
【図１０】
2009183693.tif 000021
【図１１】
2009183693.tif 000022
【図１２】
2009183693.tif 000023
【図１３】
2009183693.tif 000024
【図１４】
2009183693.tif 000025
【図１５】
2009183693.tif 000026